(57)【要約】【課題】コンパクトの気密性の改善を図る。【解決手段】化粧料を充填する内部空間を有する容器本体と、この容器本体に開閉可能に保持される蓋体と、容器本体および蓋体の相互間にて挟持され容器本体の内部空間を気密状態に保持するシール部材とを備えたコンパクトにおいて、前記容器本体または蓋体の何れかに、シール部材を配置しその外周面及び内周面の少なくとも一方につき側壁との間にて隙間を形成する環状溝部を設ける。【選択図】　　　　図６
2004141511.tif 000002
【特許請求の範囲】
【請求項１】
化粧料を充填する内部空間を有する容器本体と、この容器本体に開閉可能に保持される蓋体と、容器本体および蓋体の相互間にて挟持され容器本体の内部空間を気密状態に保持するシール部材とを備えたコンパクトであって、
前記容器本体または蓋体の何れかに、シール部材を配置しその外周面及び内周面の少なくとも一方につき側壁との間にて隙間を形成する環状溝部を設けたことを特徴とする気密コンパクト。
【発明の詳細な説明】
【０００１】
【発明の属する技術分野】
本発明は、ファンデーションやアイシャドー等の化粧料を収納するのに適したコンパクトに関し、該コンパクトの気密性の改善を図ろうとするものである。
【０００２】
【従来の技術】
揮発成分を含んだファンデーションやアイシャドー等の化粧料はその揮散が避けられないので、それを収納するコンパクトは気密性の高いものが使用されている。
【０００３】
従来、この種のコンパクトは、コンパクトの本体部分また蓋体に溝を設け、そこに弾力性のあるパッキンを配置して蓋体を閉じた時に該パッキンを該蓋体と本体部分の間で挟み込むことでコンパクトの気密性を高めるようにしていた（例えば、特許文献１参照）。
【０００４】
【特許文献１】
実開昭５５−４８４４３号公報。
【０００５】
ところで、かかるコンパクトは、パッキンが溝に対して隙間なく配置されていることから、蓋体を閉じた時にパッキンに加えられる押圧力はパッキン自体の弾力によって吸収されることとなり、さらには、パッキンが不均一な状態で挟持される場合にはパッキンに歪な変形が起こるためその周方向の弾力に強弱が生じ均等なシールを行うことができず、コンパクトの気密性を低下させてしまう不利があった。
【０００６】
【発明が解決しようとする課題】
本発明の課題は、シール部材をその全域にわたって均等な力でもって挟持し、その結果としてコンパクト内を気密状態に保持できる新規なコンパクトを提案するところにある。
【０００７】
【課題を解決するための手段】
本発明は、化粧料を充填する内部空間を有する容器本体と、この容器本体に開閉可能に保持される蓋体と、容器本体および蓋体の相互間にて挟持され容器本体の内部空間を気密状態に保持するシール部材とを備えたコンパクトであって、
前記容器本体または蓋体の何れかに、シール部材を配置しその外周面及び内周面の少なくとも一方につき側壁との間にて隙間を形成する環状溝部を設けたことを特徴とする気密コンパクトである。
【０００８】
【発明の実施の形態】
以下、図面を用いて本発明をより具体的に説明する。
【０００９】
図１〜５は本発明の実施の形態を化粧料とパフ入れ凹部とを横並びで配置した並列タイプのコンパクトとして示したものであり、図１はその正面を断面で示した図であり、図２、図３はその平面を示した図であり、図４、図５はその側面を断面で示した図であり、ここでは、揮発成分を含む化粧料を充填するドラムの内部を中蓋によって気密状態に保持する場合を例として説明する。
【００１０】
図１〜５において１は容器本体、２は化粧料を充填したドラム、３は容器本体１内に配置される中枠である。この中枠３はドラム２を容器本体１内に着脱自在に保持する開口３ａとパフ等の塗布具を収納する凹部３ｂを有している。
【００１１】
また、４は容器本体１に枢支ピンｐを介して揺動可能に保持される蓋体、５は容器本体１に設けられ蓋体４を容器本体１に係止するスライドフック、６は蓋体４の裏面に固定された鏡、７は蓋体４の裏面に配置された中蓋、８は蓋体４に一体に設けられ、中蓋７の蓋体４からの脱落を防止する係止片である。
【００１２】
中蓋７はその要部を拡大して図６に示す如く、シール部材Ｓを配置しその外周面Ｓ１につき側壁との間にて隙間ｈを形成する環状溝部７ａを有しており、蓋体４を閉じたとき、シール部材Ｓがドラム２の環状凸部２ａに合わさることでドラム２の内部を気密状態に保持されるようになっている。
【００１３】
また、９はスライドフック５を解除したときに蓋体４を極僅かに持ち上げるための弾性体である。
【００１４】
環状溝部７ａは、シール部材Ｓの外周面Ｓ１と溝部７ａの側壁との間で隙間ｈを形成する溝幅を有しており、蓋体４を閉じたとき、シール部材Ｓに対して自身の弾力によって吸収可能な力を超えた押圧力が加えられたとしても、あるいは該蓋体４のずれ等によってシール部材Ｓがドラム２の環状凸部２ａにて不均一な押され方をしたとしても、シール部材Ｓは隙間ｈを埋めるような変形が生じ、これによりシール部材Ｓはその全周にわたりほぼ均等な弾力性が確保され、結果としてドラム２内は気密状態に保持される。
【００１５】
上掲図１〜５では、シール部材Ｓの外周面Ｓ１と溝部７ａの側壁との間で隙間ｈを形成する場合を例として示したが、シール部材Ｓの内周面Ｓ２との間で隙間ｈを形成するようにしてもよいし、その両側ともに隙間ｈを形成するようにしてもよく、この点に関してはとくに限定されない。
【００１６】
また、シール部材Ｓは、ドラム２と中蓋７の間で適用する場合を例として示したが、容器本体１と蓋体４の間に適用してもよく、さらには、蓋体４とは別に開閉可能に配置された中蓋７と容器本体１又はドラム２の間に適用してもよく、その適用箇所はコンパクトの形式の違いに応じて適宜に変更される。
【００１７】
シール部材Ｓはインサート成形によって溝部７ａに直接設けることができるものであり、また、接着剤あるいはアンダーカット（周方向の数カ所で係合するもの）によって後から固定するようにしてもよい。
【００１８】
とくに、インサート成形にて融着、固定を行うべく、溝部７ａを設ける部材とシール部材Ｓとを異なる樹脂を適用して構成する場合、溝部７ａ設ける部材にポリプロピレンを用い、シール部材Ｓをスチレン系のエラストマー用いると該シール部材Ｓは接着剤を使用せずともその融着により簡単に固定される。
【００１９】
【発明の効果】
本発明によれば、蓋体を閉じたときシール部材はその全周にわたりほぼ均等な弾力を有する状態で挟持されるので、コンパクトの気密性は安定化する。
【図面の簡単な説明】
【図１】本発明の実施の形態を示した図である。
【図２】図１の平面（容器本体）を示した図である。
【図３】図１の平面（蓋体）を示した図である。
【図４】図１の側面（左側）を示した図である。
【図５】図１の側面（右側）を示した図である。
【図６】図１の要部を示した図である。
【符号の説明】
１　容器本体
２　ドラム
２ａ　環状凸部
３　中枠
３ａ　開口
３ｂ　凹部
４　蓋体
５　スライドフック
６　鏡
７　中蓋
７ａ　環状溝部
８　係止片
９　弾性体
Ｓ　シール部材
【図１】
2004141511.tif 000003
【図２】
2004141511.tif 000004
【図３】
2004141511.tif 000005
【図４】
2004141511.tif 000006
【図５】
2004141511.tif 000007
【図６】
2004141511.tif 000008